(57)【特許請求の範囲】
【請求項１】
ＰＣＢ取扱施設及び設備内外における気体のＰＣＢ濃度測定方法において、前記気体から採取した全有機ハロゲン化合物濃度をＴＯＸ分析装置で測定し、該ＴＯＸ分析装置による測定値を採取気体量とＰＣＢ中の含塩素率との積で除してＰＣＢ濃度を算出することを特徴とするＰＣＢ取扱施設及び設備内外における気中ＰＣＢ濃度測定方法。
【請求項２】
前記ＴＯＸ分析装置の測定対象は、活性炭カラムを含むサンプリン系全体を５０〜１００℃で保温しながら所定量の気体を通した後の該活性炭であることを特徴とする請求項１記載の気中ＰＣＢ濃度測定方法。
【発明の詳細な説明】
【０００１】
【発明の属する技術分野】
本発明は、気体のＰＣＢ濃度測定方法に関し、特にＰＣＢ取扱施設及び設備内外における気中ＰＣＢのモニタリングを簡便かつ迅速に行うことができる測定方法に関する。
【０００２】
【従来の技術】
ＰＣＢ（ポリ塩化ビフェニール）は、その優れた各種の物理的性質と極めて高い安定性とからトランスなどの電機機器などに広く使用されたが、その人体と環境への影響が問題となって新規使用が中止され、回収されたＰＣＢはその処理が進展しないこともあり、保管を余儀なくされているものも多い。
【０００３】
ＰＣＢを処理、保管、収集、運搬するに当たっては、作業環境、周辺環境への影響を把握するため、気中のＰＣＢ濃度を把握することが必要である。
従来、気中のＰＣＢ濃度測定方法としては、昭和４７年環境庁大気保全局による「気相ＰＣＢ測定要領」に定められている。また、ダイオキシン類及びコブラナーＰＣＢの測定方法としては、ＪＩＳ  Ｋ０３１１「排ガス中のダイオキシン類及びコブラナーＰＣＢの測定方法」が定められている。
【０００４】
【発明が解決しようとする課題】
しかし、これらの方法は分析操作が煩雑で、分析に要する時間が非常に長いという問題がある。特に、ＪＩＳ  Ｋ０３１１の測定方法は、分析費用が数十万円／検体と高価である。そこで、気中のＰＣＢ濃度を容易にかつ迅速に分析できる方法を開発することが望まれている。
本発明は、このような従来の課題に鑑みてなされたものであり、ＰＣＢ処理、保管、収集運搬にあたって、気中のＰＣＢ濃度を簡便かつ迅速にモニタリングできる方法を提供することを課題とする。
【０００５】
【課題を解決するための手段】
本発明は、上記の課題を下記の手段により達成することができた。
（１）ＰＣＢ取扱施設及び設備内外における気体のＰＣＢ濃度測定方法において、前記気体から採取した全有機ハロゲン化合物濃度をＴＯＸ分析装置で測定し、該ＴＯＸ分析装置による測定値を採取気体量とＰＣＢ中の含塩素率との積で除してＰＣＢ濃度を算出することを特徴とするＰＣＢ取扱施設及び設備内外における気中ＰＣＢ濃度測定方法。
（２）前記ＴＯＸ分析装置の測定対象は、活性炭カラムを含むサンプリン系全体を５０〜１００℃で保温しながら所定量の気体を通した後の該活性炭であることを特徴とする前記（１）記載の気中ＰＣＢ濃度測定方法。
【０００６】
本発明は、気中の有機ハロゲン化合物の全てを対象とするため、ＰＣＢのみを対象としているわけではなく、測定精度が少し低くなるという欠点がある。しかし、全有機ハロゲン化合物の測定方法は比較的簡単であること、ＰＣＢ処理、保管、収集運搬施設においては、気中の有機ハロゲン化合物のうち、ＰＣＢの割合が有意に高いことが想定され、かつ測定値はＰＣＢ単独の場合よりも高めに出るため、基準値の比較に際してはより安全側にあるように作用することから、モニタリング方法として有効である。
本発明において測定できる気体としては、ＰＣＢ取扱施設及び設備内外の気体、例えば、ＰＣＢ処理施設の排気や、液状ＰＣＢあるいはＰＣＢ含有油貯留設備の通気排気、処理、保管施設、収集運搬設備の空気、作業環境空気、処理施設周辺環境などの空気が挙げられる。なお、ここでＰＣＢ取扱施設及び設備とは、液状ＰＣＢ及びＰＣＢを含む油（廃ＰＣＢ等）だけではなく、ＰＣＢ汚染物、ＰＣＢ処理物を取り扱う施設及び設備をいう。
これらの測定を行うに際しては、ＰＣＢ取扱施設等において、予め他の分析法で測定したＰＣＢ濃度との相関関係を求めておくことにより、より正確な濃度を得ることができる。
【０００７】
【発明の実施の形態】
以下、本発明の実施の形態を、図面に基づいて詳細に説明する。
図１は、本発明の測定方法に基づき、ＰＣＢ処理施設内外の気体を測定する場合の概要説明図を示したものである。
ＰＣＢ処理施設内外の気体１を気体サンプリング装置２の吸引ポンプ５でガス吸引口から吸引して、所定量の気体１をサンプリング用活性炭カラム３に通して、それにガス中の成分を吸着させる。気体１の吸引量は積算流量計４で計る。
サンプリング作業が終わったら、気体サンプリング装置２からサンプリング用活性炭カラム３を取り出して、ＴＯＸ分析装置６に入れて全有機ハロゲン化合物の測定方法により分析を行う。ＴＯＸ分析装置６からの測定値によりＰＣＢ濃度算定作業７をしてＰＣＢ濃度値を求める。
【０００８】
この図１に示す本発明の測定方法を行うに当たっては、気体サンプリングの活性炭カラム３に、ＴＯＸ用サンプリングカラムを用いる。気体のサンプリング量は確認すべき気中ＰＣＢ濃度による。例えば、気中濃度が０．１ｍｇ・ＰＣＢ／ｍ3 以下であることを確認するためには、２〜１０リットル程度をサンプリングすればよい。採取ガス量は、積算流量計４で確認する。また、サンプリング系は全体を５０〜１００℃に保温することが好ましい。サンプリング後の活性炭は、通常のＴＯＸ計で測定する。気中ＰＣＢ濃度は、ＴＯＸ計での測定値から、次の式により算出する。
【０００９】
【式１】
0003967092.tif 000002
【００１０】
【実施例】
以下において、本発明を実施例によりさらに具体的に説明するが、本発明は、これらの実施例により限定されるものではない。
【００１１】
実施例１
本発明のＰＣＢモニタリング方法が、ＰＣＢ濃度の指標になることを確認するため、ＰＣＢを気化させてＰＣＢ含有気体を実験的に調製し、本発明方法とガスクロマトグラフによる方法で測定した。本発明方法の測定系は、図１の概要説明図に示す態様からなるものである。この際、実験に用いたＰＣＢ含有気体は全て活性炭により吸着処理し、環境中への排出を防止した。その測定結果を第１表に示す。
これにより、全有機ハロゲン化合物量の測定値からの換算ＰＣＢ濃度は、ガスクロマトグラフによる測定値に近く、指標として有効である。
【００１２】
【表１】
0003967092.tif 000003
【００１３】
【発明の効果】
本発明によれば、面倒なＰＣＢの測定法を用いることなく、簡単な全有機ハロゲン化合物量（ＴＯＸ）の測定法を用いることにより、ＰＣＢの濃度を求めることができるので、簡易にかつ迅速にＰＣＢのモニタリングを行うことができる。本発明によれば、ＰＣＢ取扱施設及び設備内外のＰＣＢのモニタリング手法として、全有機ハロゲン化合物量（ＴＯＸ）を測定して指標とする方法が適用でき、簡便かつ迅速にＰＣＢ濃度をモニタリングする方法を確立できた。
【図面の簡単な説明】
【図１】本発明の測定方法による気中ＰＣＢ濃度を測定する際の概要説明図を示す。
【符号の説明】
１  気体
２  気体サンプリング装置
３  サンプリング用活性炭カラム
４  積算流量計
５  吸引ポンプ
６  ＴＯＸ分析装置
７  ＰＣＢ濃度算定作業
【図１】
0003967092.tif 000004